(57)【要約】      （修正有）【課題】飛沫拡散防止の機能を有し、かつ会話を遮らない、すなわちウイルス対策と良好なコミュニケーションの両方を可能とするパーティションを提供する。【解決手段】パーティションは、気体吸引用の開口部１１と気体を外部へ導出する導出部１２とを有し、机の天板４ａの長手方向、かつ天板中央に設置される吸引部１と、導出部１２を介して気体を吸引する吸引ポンプ２と、を有する。【選択図】図１
0003230914.tif 000002
【実用新案登録請求の範囲】
【請求項１】
気体吸引用の開口部と気体を外部へ導出する導出部とを有し机の天板の長手方向、かつ前記天板中央に設置される吸引部と、前記導出部を介して気体を吸引する吸引ポンプと、を有するパーティション。
【請求項２】
前記吸引部と前記吸引ポンプとを接続する連通部を有する請求項１記載のパーティション。
【請求項３】
前記吸引ポンプは、屋外に設けられる請求項２記載のパーティション。
【請求項４】
前記吸引部は、前記導出部を複数有する請求項２記載のパーティション。
【請求項５】
前記吸引部の少なくとも一部は透明樹脂である請求項２記載のパーティション。
【考案の詳細な説明】
【技術分野】
【０００１】      本考案は、飛沫防止用のパーティションに関する。
【背景技術】
【０００２】      会議机、テーブル、デスクの天板に設置し、飛沫を防止する所謂パーティションについては、特許文献１のような飛沫防止パーティションがある。
【先行技術文献】
【特許文献】
【０００３】
【特許文献１】実用新案登録第３２２８２２６号公報
【考案が解決しようとする課題】
【０００４】      近年新型コロナ感染拡大に伴い、対面で会話を行う会議机、テーブル上に飛沫拡散防止のため特許文献１に記載のような透明樹脂で構成されるパーティションを設置するのが一般的になっている。係るパーティションを利用することで飛沫拡散防止には有効であるが、一方で音声の減衰があり会話がパーティションで遮られ聞き取りにくいという問題がある。
【０００５】      本考案は上記課題に鑑み、飛沫拡散防止の機能を有し、かつ会話を遮らない、すなわちウイルス対策と良好なコミュニケーションの両方を可能とするパーティションを提供するものである。
【課題を解決するための手段】
【０００６】    前記の課題を解決するための本考案は、請求項１の気体吸引用の開口部と気体を外部へ導出する導出部とを有し机の天板の長手方向、かつ前記天板中央に設置される吸引部と、前記導出部を介して気体を吸引する吸引ポンプと、を有するパーティションである。
【０００７】    請求項２記載の前記吸引部と前記吸引ポンプとを接続する連通部を有する請求項１記載のパーティションである。
【０００８】    請求項３記載の前記吸引ポンプは、屋外に設けられる請求項２記載のパーティションである。
【０００９】    請求項４記載の前記吸引部は、前記導出部を複数有する請求項２記載のパーティションである。
【００１０】    請求項５記載の前記吸引部の少なくとも一部は透明樹脂である請求項２記載のパーティションである。
【考案の効果】
【００１１】    本考案に係る請求項１に記載のパーティションによれば、机の天板に設置し気体吸引により、飛沫を吸引部に導くことで拡散を防止でき、また対面で行う会話を遮る部材がなく良好な会話を行うことが可能となる。
【００１２】    本考案に係る請求項２に記載のパーティションによれば、吸引部と吸引ポンプとを接続する連通部を有することにより吸引部と吸引ポンプを離れた場所に設置することが可能となり、設置の利便性が向上する。
【００１３】    本考案に係る請求項３に記載のパーティションによれば、吸引ポンプを屋外に設けることにより、吸引ポンプで発生する運転音を遮断できると共に、吸引した飛沫を屋外に排気することで、静音性、安全性が向上する。
【００１４】    本考案に係る請求項４に記載のパーティションによれば、吸入部が導出部を複数有することで開口部からの吸引力を増大でき、飛沫拡散をより防止できる。
【００１５】    本考案に係る請求項５に記載のパーティションによれば、机に設置する吸引部の一部を透明樹脂とすることで、相手の様子がより視認しやすくなりコミュニケーショ向上に寄与できる。
【図面の簡単な説明】
【００１６】
【図１】本考案の第１実施形態に係るパーティションを机に設置した際の斜視図である。
【図２】同パーティションの上面図である。
【図３】同パーティションの側面図である
【図４】同パーティションの吸引部材の側面図である。
【図５】本考案の第２実施形態に係るパーティションを机に設置した際の側面図である。
【図６】本考案の第１，２実施形態のパーティションの変形例を示す吸引部材の上面図である。
【考案を実施するための形態】
【００１７】    （第１実施形態）
図１は、本考案の第１実施形態に係るパーティションを机に設置した際の斜視図、図２は、同パーティションの上面図、図３は、同パーティションの側面図、図４は、同パーティションの吸引部１の側面図である。
【００１８】  第１実施形態に係るパーティションは、開口部１１、導出部１２を有する吸引部１、及び吸引ポンプ２を主要構成として有する。６は机で、６ａは天板、６ｂは脚部である。
【００１９】  吸引部１は、机の天板４ａ上に長手方向、かつ中央部に設置される。吸引部１は、上面に開口部１１を有するスリット形状となっており、端部に気体導出用の導出部１２を有している。吸引ポンプ２により連通部３を介して吸引することにより開口部１１より吸引された気体が導出部１２より吸引ポンプ２へ導かれ、排出部５を通り外部、屋外、あるいは空気清浄機へと導出される。図３の点線は各会話者より発せられる飛沫の動きを模式的に示したものである。この構成により、対面する会話者の空間で、それぞれの会話者より発せられる飛沫を吸引でき、相手への飛沫の到達、及び拡散防止を図るとともに、加えて会話の音声を遮ることなく、円滑な会話、会議を行うことが可能となる。
吸引部１は会話を遮らない高さとし、会話者の視線の高さ、より好ましくは口の高さを越えない程度とするのが好ましい。
【００２０】    （第２実施形態）
図５は、本考案の第２実施形態に係るパーティションを机に設置した際の側面図である。第２実施形態に係るパーティションは、第１実施形態と同様、吸引部１、及び吸引ポンプ２を主要構成として有する。
【００２１】  本実施の形態においては、吸引ポンプ２が屋外に設けられる。これにより吸引された気体を屋外に排気するとともに、吸引ポンプ２より発生する音の影響を最小限に抑制でき、会話をより効果的に行うことが可能となる。
【００２２】    （変形例）
図６は、吸引部１の変形例で、吸引部１の両端それぞれに導出部１２を設け、両端部より気体を導出する構成としている。これにより開口部１１の吸引力を増加させ飛沫をより確実に収集できる。
【００２３】  また、吸引部１は、会話者同士の視認性を向上させるため少なくとも上部、もしくはすべてを透明部材とするのが好ましい。
【００２４】    また、導出部１２は、吸引部１の端部に限らず、底面、側面、上面に設けてもよい。
【００２５】  また、開口部１１を１個のスリットでなく、開口部１１を複数設ける形状としてもよい。これにより気体の吸引部分を絞ることで各開口部１１の吸引力を増加させることができる。
【符号の説明】
【００２６】  １    吸引部
１１  開口部
１２  導出部
２    吸引ポンプ
３    連通部
４    机
４ａ  天板
４ｂ  脚部
５    排出部
【図１】
0003230914.tif 000003
【図２】
0003230914.tif 000004
【図３】
0003230914.tif 000005
【図４】
0003230914.tif 000006
【図５】
0003230914.tif 000007
【図６】
0003230914.tif 000008